(57)【要約】【課題】音声通信可能な携帯端末において、特定のキーワードに基づいた音声合成の切換、生の音声へのフィルタリング、特定キーワードの自動登録を行う。【解決手段】音声合成手段の前段に音声分析手段と音声変換手段を有する。音声合成手段は、受信音声をタレント等の特定の人を真似た合成音に変換する。また、受信音声の発信元が音声合成の切り替え相手かどうか判断する。また、受話の音声の感情を分析する。変換手段は、キーワードデータベースに予め登録された特定のキーワードの音声を認識すると、音声合成を中止して受話音そのままの音声を出力する。また、キーワードがＮＧワードとして登録されていた場合、相手に対し、決められたＮＧワードを通知する。また、受話の音声の感情が怒り等の特定の感情であるとの結果を得たら、音声合成を中止して元の音声にフィルタをかけた音声を出力する処理を行う。【選択図】図１
2010166324.tif 000002
【特許請求の範囲】
【請求項１】
音声通信の相手の識別情報が音声合成対象として登録されているか判断し、前記識別情報が音声合成対象として登録されている場合、前記音声通信に関する音声信号のスペクトラムを分析し、前記音声信号に基づく音声が特定の感情を示す音声パターンに該当する音声であるかどうか判断する音声分析手段と、
前記音声が前記音声パターンに該当する音声である場合、前記音声にフィルタをかけるフィルタリング処理を行い、フィルタをかけられた音声を出力し、前記音声が前記音声パターンに該当する音声でない場合、前記音声信号に含まれるキーワードがＮＧワードに該当するか判断し、前記キーワードがＮＧワードに該当する場合、前記音声信号の発信元に対し、前記キーワードがＮＧワードである旨を通知する変換手段と、
前記音声信号に基づく音声に対して、所定の音声の合成を行い、合成音を出力する音声合成手段と
を具備する
携帯端末。
【請求項２】
請求項１に記載の携帯端末であって、
前記変換手段は、前記音声通信の最中に、ユーザの所定の操作に応じて、前記所定の操作時から所定時間前までの間に発信された音声信号に含まれる特定のキーワードをＮＧワードとしてキーワードデータベースに登録し、前記音声信号に含まれるキーワードがＮＧワードに該当するか判断する際に、前記キーワードデータベースを参照する
携帯端末。
【請求項３】
請求項１又は２に記載の携帯端末であって、
前記音声分析手段は、前記音声通信における送信側及び受信側の両方の音声信号のスペクトラムを分析し、前記送信側及び前記受信側のうち少なくとも一方の音声信号に基づく音声が特定の感情を示す音声であるかどうか判断し、
前記変換手段は、前記送信側及び前記受信側のうち少なくとも一方の音声信号に基づく音声が前記音声パターンに該当する音声である場合、前記特定の感情を示している音声にフィルタをかけるフィルタリング処理を行う
携帯端末。
【請求項４】
請求項１乃至３のいずれか一項に記載の携帯端末であって、
前記変換手段は、前記音声信号に含まれるキーワードが特定のキーワードに該当するか判断し、前記キーワードが特定のキーワードに該当する場合、前記音声信号を前記音声合成手段に送る
携帯端末。
【請求項５】
請求項１乃至４のいずれか一項に記載の携帯端末であって、
前記変換手段は、前記音声信号に含まれるキーワードが特定のキーワードに該当するか判断し、前記キーワードが特定のキーワードに該当する場合、前記音声信号のうち特定のキーワードに該当する箇所の音声信号を、前記音声合成手段に送り、
前記音声合成手段は、前記音声信号のうち特定のキーワードに該当する箇所の音声信号に対して、所定の音声の合成を行い、合成音を出力する
携帯端末。
【請求項６】
音声通信の相手の識別情報が音声合成対象として登録されているか判断し、
前記識別情報が音声合成対象として登録されている場合、前記音声通信に関する音声信号のスペクトラムを分析し、前記音声信号に基づく音声が特定の感情を示す音声であるかどうか判断し、
前記音声が前記音声パターンに該当する音声である場合、前記音声にフィルタをかけるフィルタリング処理を行い、フィルタをかけられた音声を出力し、
前記音声が前記音声パターンに該当する音声でない場合、前記音声信号に含まれるキーワードがＮＧワードに該当するか判断し、前記キーワードがＮＧワードに該当する場合、前記音声信号の発信元に対し、前記キーワードがＮＧワードである旨を通知し、
前記音声信号に基づく音声に対して、所定の音声の合成を行い、合成音を出力する
音声合成方法。
【請求項７】
請求項６に記載の音声合成方法であって、
前記音声通信の最中に、ユーザの所定の操作に応じて、前記所定の操作時から所定時間前までの間に発信された音声信号に含まれる特定のキーワードをＮＧワードとしてキーワードデータベースに登録し、
前記音声信号に含まれるキーワードがＮＧワードに該当するか判断する際に、前記キーワードデータベースを参照する
音声合成方法。
【請求項８】
請求項６又は７に記載の音声合成方法であって、
前記音声分析手段は、前記音声通信における送信側及び受信側の両方の音声信号のスペクトラムを分析し、前記送信側及び前記受信側のうち少なくとも一方の音声信号に基づく音声が特定の感情を示す音声であるかどうか判断し、
前記送信側及び前記受信側のうち少なくとも一方の音声信号に基づく音声が前記音声パターンに該当する音声である場合、前記特定の感情を示している音声にフィルタをかけるフィルタリング処理を行う
音声合成方法。
【請求項９】
請求項６乃至８のいずれか一項に記載の音声合成方法であって、
前記音声信号に含まれるキーワードが特定のキーワードに該当するか判断し、
前記キーワードが特定のキーワードに該当する場合、前記音声信号に対して、所定の音声の合成を行い、合成音を出力する
音声合成方法。
【請求項１０】
請求項６乃至９のいずれか一項に記載の音声合成方法であって、
前記音声信号に含まれるキーワードが特定のキーワードに該当するか判断し、
前記キーワードが特定のキーワードに該当する場合、前記音声信号のうち特定のキーワードに該当する箇所の音声信号に対して、所定の音声の合成を行い、合成音を出力する
音声合成方法。
【請求項１１】
音声通信の相手の識別情報が音声合成対象として登録されているか判断するステップと、
前記識別情報が音声合成対象として登録されている場合、前記音声通信に関する音声信号のスペクトラムを分析し、前記音声信号に基づく音声が特定の感情を示す音声パターンに該当する音声であるかどうか判断するステップと、
前記音声が前記音声パターンに該当する音声である場合、前記音声にフィルタをかけるフィルタリング処理を行い、フィルタをかけられた音声を出力するステップと、
前記音声が前記音声パターンに該当する音声でない場合、前記音声信号に含まれるキーワードがＮＧワードに該当するか判断し、前記キーワードがＮＧワードに該当する場合、前記音声信号の発信元に対し、前記キーワードがＮＧワードである旨を通知するステップと、
前記音声信号に基づく音声に対して、所定の音声の合成を行い、合成音を出力するステップと
をコンピュータに実行させるための
音声合成用プログラム。
【請求項１２】
請求項１１に記載の音声合成用プログラムであって、
前記音声通信の最中に、ユーザの所定の操作に応じて、前記所定の操作時から所定時間前までの間に発信された音声信号に含まれる特定のキーワードをＮＧワードとしてキーワードデータベースに登録するステップと、
前記音声信号に含まれるキーワードがＮＧワードに該当するか判断する際に、前記キーワードデータベースを参照するステップと
を更にコンピュータに実行させるための
音声合成用プログラム。
【請求項１３】
請求項１１又は１２に記載の音声合成用プログラムであって、
前記音声分析手段は、前記音声通信における送信側及び受信側の両方の音声信号のスペクトラムを分析し、前記送信側及び前記受信側のうち少なくとも一方の音声信号に基づく音声が特定の感情を示す音声パターンに該当する音声であるかどうか判断するステップと、
前記送信側及び前記受信側のうち少なくとも一方の音声信号に基づく音声が前記音声パターンに該当する音声である場合、前記特定の感情を示している音声にフィルタをかけるフィルタリング処理を行うステップと
を更にコンピュータに実行させるための
音声合成用プログラム。
【請求項１４】
請求項１１乃至１３のいずれか一項に記載の音声合成用プログラムであって、
前記音声信号に含まれるキーワードが特定のキーワードに該当するか判断するステップと、
前記キーワードが特定のキーワードに該当する場合、前記音声信号に対して、所定の音声の合成を行い、合成音を出力するステップと
を更にコンピュータに実行させるための
音声合成用プログラム。
【請求項１５】
請求項１１乃至１４のいずれか一項に記載の音声合成用プログラムであって、
前記音声信号に含まれるキーワードが特定のキーワードに該当するか判断するステップと、
前記キーワードが特定のキーワードに該当する場合、前記音声信号のうち特定のキーワードに該当する箇所の音声信号に対して、所定の音声の合成を行い、合成音を出力するステップと
を更にコンピュータに実行させるための
音声合成用プログラム。
【発明の詳細な説明】
【技術分野】
【０００１】
本発明は、携帯端末に関し、特に音声を出力する携帯端末に関する。
【背景技術】
【０００２】
現在、携帯電話事業者（キャリア）の収益においては、データパケットの比率が増加し、音声の比率が減少している。
【０００３】
そこで、携帯電話オペレータ各社は、ユニークなアプリケーション（アプリケーションソフトウェア）を持った携帯端末や、サービスを提供する事により、シェアの伸張と共に音声の収益率アップを図っている。
【０００４】
しかし、従来の携帯電話は、音声合成機能は備えていても、特定のキーワードに基づいた音声合成の切換、生の音声へのフィルタリング、特定キーワードの自動登録は不可能であった。
【０００５】
なお、関連する技術として、特開平１０−０９７２６７号公報（特許文献１）に声質変換方法および装置が開示されている。この関連技術では、利用者（ユーザ）の好みに合致する方向に音質が変換されるように、分析合成方式等を用いて、入力された音声の声質変換を行い、声質の異なる音声を合成し、良好な音声、所望の音質の合成音声、種々の声質の合成音声を出力することを目的としている。
【先行技術文献】
【特許文献】
【０００６】
【特許文献１】特開平１０−０９７２６７号公報
【発明の概要】
【発明が解決しようとする課題】
【０００７】
本発明の目的は、音声を分析し合成や変換を行う携帯端末を提供することである。
【課題を解決するための手段】
【０００８】
本発明の携帯端末は、音声分析手段と、変換手段と、音声合成手段とを具備する。音声分析手段は、音声通信の相手の識別情報が音声合成対象として登録されているか判断し、識別情報が音声合成対象として登録されている場合、音声通信に関する音声信号のスペクトラムを分析し、音声信号に基づく音声が特定の感情を示す音声パターンに該当する音声であるかどうか判断する。変換手段は、音声が音声パターンに該当する音声である場合、音声にフィルタをかけるフィルタリング処理を行い、フィルタをかけられた音声を出力する。また、変換手段は、音声が音声パターンに該当する音声でない場合、音声信号に含まれるキーワードがＮＧワードに該当するか判断し、キーワードがＮＧワードに該当する場合、音声信号の発信元に対し、キーワードがＮＧワードである旨を通知する。音声合成手段は、音声信号に基づく音声に対して、所定の音声の合成を行い、合成音を出力する。なお、音声通信の例として、電話による通話、テレビ放送やラジオ放送の受信、ストリーミングデータの受信、記憶装置等からの音声データの取得及び再生等が考えられる。また、音声信号の発信元は、音声信号が外部からの受信信号である場合は送信元の相手を示し、音声信号が外部への送信信号である場合は携帯端末のユーザを示す。但し、実際には、これらの例に限定されない。
【０００９】
本発明の音声合成方法では、音声通信の相手の識別情報が音声合成対象として登録されているか判断する。また、識別情報が音声合成対象として登録されている場合、音声通信に関する音声信号のスペクトラムを分析し、音声信号に基づく音声が特定の感情を示す音声パターンに該当する音声であるかどうか判断する。また、音声が音声パターンに該当する音声である場合、音声にフィルタをかけるフィルタリング処理を行い、フィルタをかけられた音声を出力する。また、音声が音声パターンに該当する音声でない場合、音声信号に含まれるキーワードがＮＧワードに該当するか判断し、キーワードがＮＧワードに該当する場合、音声信号の発信元に対し、キーワードがＮＧワードである旨を通知する。また、音声信号に基づく音声に対して、所定の音声の合成を行い、合成音を出力する。
【００１０】
本発明の音声合成用プログラムは、音声通信の相手の識別情報が音声合成対象として登録されているか判断するステップと、識別情報が音声合成対象として登録されている場合、音声通信に関する音声信号のスペクトラムを分析し、音声信号に基づく音声が特定の感情を示す音声パターンに該当する音声であるかどうか判断するステップと、音声が音声パターンに該当する音声である場合、音声にフィルタをかけるフィルタリング処理を行い、フィルタをかけられた音声を出力するステップと、音声が音声パターンに該当する音声でない場合、音声信号に含まれるキーワードがＮＧワードに該当するか判断し、キーワードがＮＧワードに該当する場合、音声信号の発信元に対し、キーワードがＮＧワードである旨を通知するステップと、音声信号に基づく音声に対して、所定の音声の合成を行い、合成音を出力するステップとをコンピュータに実行させるためのプログラムである。
【発明の効果】
【００１１】
電話機能を始めとする音声通信機能の利用価値を向上する。
【図面の簡単な説明】
【００１２】
【図１】本発明の第１及び第２実施形態における携帯端末の構成例を示すブロック図である。
【図２】本発明の第１実施形態における携帯端末の動作を示すフローチャートである。
【図３】本発明の第２実施形態における携帯端末の動作を示すフローチャートである。
【図４】本発明の第３及び第４実施形態における携帯端末の構成例を示すブロック図である。
【図５】本発明の第３実施形態における携帯端末の動作を示すフローチャートである。
【図６】本発明の第４実施形態における携帯端末の動作を示すフローチャートである。
【発明を実施するための形態】
【００１３】
＜第１実施形態＞
以下に、本発明の第１実施形態について添付図面を参照して説明する。
図１を参照すると、本発明の携帯端末は、アンテナ部１１と、受信部１２と、音声分析機能部１３と、変換機能部１４と、音声合成機能部１５と、音声出力部１６と、音声入力部１７と、送信部１８と、電話番号帳２１と、キーワードデータベース２２と、音声データベース２３を備える。
【００１４】
ここでは、携帯端末の例として、携帯電話機を想定している。但し、実際には、携帯端末は、ＰＣ（パソコン）、モバイルノートＰＣ、シンクライアント端末、カーナビ（カーナビゲーションシステム）、携帯音楽プレーヤー、携帯ゲーム機、家庭用ゲーム機、双方向テレビ、デジタルチューナー、デジタルレコーダー、情報家電（ｉｎｆｏｒｍａｔｉｏｎ  ｈｏｍｅ  ａｐｐｌｉａｎｃｅ）、ＯＡ（Ｏｆｆｉｃｅ  Ａｕｔｏｍａｔｉｏｎ）機器等でも良い。本質的には、本発明の携帯端末は、音声を出力可能な電子機器であれば良い。
【００１５】
アンテナ部１１は、信号を電波で送信したり受信したりする。ここでは、携帯端末の通信方式として、無線通信を想定しているが、実際には、有線通信でも良い。
【００１６】
受信部１２は、アンテナ部１１で受信した外部からの信号を音声信号に変換する。ここでは、受信部１２は、アンテナ部１１が受信した高周波信号を復調してベースバンド信号に変換する。なお、ベースバンド信号とは、変復調をするシステムにおける変調前の信号及び復調後の情報信号（音声、映像、デジタルデータ等）を示す。ここでは、ベースバンド信号は、音声信号である。
【００１７】
音声分析機能部１３は、電話を掛けて来た相手の電話番号等の識別情報が電話番号帳２１に音声合成対象番号として登録されているかを判断する。また、音声分析機能部１３は、音声信号のスペクトラムを分析し、音声信号に基づく音声が怒り等の特定の感情を示す音声であるかどうか判断する。例えば、音声分析機能部１３は、携帯端末の外部又は内部に記憶された特定の感情を示す音声パターンを参照して、音声信号に基づく音声パターンが、特定の感情を示す音声パターンと適合するかを判断する。但し、実際には、これらの例に限定されない。その後、音声分析機能部１３は、変換機能部１４に音声信号を送る。このとき、音声分析機能部１３は、音声信号に基づく音声が怒り等の特定の感情を示す音声であれば、特定の感情を示す音声である旨を、或いは、元の音声にフィルタをかける旨の指示を、変換機能部１４に通知する。なお、変換機能部１４は、音声信号に基づく音声が怒り等の特定の感情を示す音声であるかどうか判断しない場合、無条件で変換機能部１４に音声信号を送る。
【００１８】
変換機能部１４は、キーワードデータベース２２を参照して、音声分析機能部１３で分析された音声信号に従い、特定のキーワードを示すキーワードデータを出力する。ここでは、変換機能部１４は、電話を掛けて来た相手からの音声信号に含まれるキーワードがＮＧワードとしてキーワードデータベース２２に登録されていた場合、その相手に対し、送信部１８を介して、予め決められたＮＧワードや、ＮＧワードである旨の通知を送信する。例えば、変換機能部１４は、音声信号に含まれていた「○○」というキーワードがＮＧワードとしてキーワードデータベース２２に登録されていた場合、相手に対し、送信部１８を介して、「○○はＮＧワードです」という旨の通知を送信する。なお、変換機能部１４は、音声信号に含まれるキーワードがＮＧワードとしてキーワードデータベース２２に登録されていた場合、ＮＧワードの部分の音声を、無音又はビープ音に変換するようにしても良い。また、変換機能部１４は、音声信号に基づく音声が怒り等の特定の感情を示す音声であれば、元の音声にフィルタをかけた音声を出力する処理（フィルタリング）を行う。
【００１９】
音声合成機能部１５は、音声データベース２３を参照して、受け取った音声信号に応じて、所定の音声の合成を行う。本発明の携帯端末では、音声合成機能部１５の前段に音声分析機能部１３と変換機能部１４を配置している。
【００２０】
音声出力部１６は、受け取った音声信号に基づいて、音声出力を行う。
【００２１】
音声入力部１７は、ユーザ又はアプリケーションによる音声入力に基づいて、音声信号を発生する。
【００２２】
送信部１８は、音声信号を変換し、アンテナ部１１を介して、変換後の信号を外部に送信する。ここでは、受信部１２は、音声信号であるベースバンド信号を変調して高周波信号に変換し、アンテナ部１１を介して、高周波信号を外部に送信する。
【００２３】
電話番号帳２１は、電話を掛けて来た相手の電話番号等の識別情報を格納する。ここでは、電話番号帳２１は、電話を掛けて来た相手のうち、音声合成の対象とする相手の電話番号等の識別情報を格納する。なお、電話番号は例示に過ぎず、実際には、電話を掛けて来た相手を特定できる識別情報であれば良い。また、電話番号帳２１は、携帯端末自体が有する通常の電話番号帳とは別に設けられていても良い。
【００２４】
キーワードデータベース２２は、特定のキーワードを示すキーワードデータを格納する。ここでは、キーワードデータベース２２には、特定の会話のセンテンスやＮＧワードが登録されている。特定のキーワードの登録については、受話の操作者が変換機能部１４を操作するためのボタンを押下した際、音声分析機能部１３がそのボタンの押下時から所定時間前までの音声を分析して特定のキーワードを検出し、検出されたキーワードを示すキーワードデータをキーワードデータベース２２に自動的に登録する。この場合、音声分析機能部１３は、そのボタンの押下時から所定時間前までの音声を、一時的に記憶している。なお、変換機能部１４は、操作者の操作に応じて、特定のキーワードデータをＷＥＢサイト等からダウンロードして、キーワードデータベース２２に登録するようにしても良い。このとき、変換機能部１４は、キーワードデータベース２２自体をＷＥＢサイト等からダウンロードするようにしても良い。
【００２５】
音声データベース２３は、所定の音声データを格納する。ここでは、音声データベース２３には、特定の人物の音声に似た音声データが格納されているものとする。特定の人物の例として、タレント（芸能人）や、その他の著名人、ユーザの家族、知人等が考えられる。但し、実際には、これらの例に限定されない。なお、音声合成機能部１５は、操作者の操作に応じて、所定の音声データをＷＥＢサイト等からダウンロードして、音声データベース２３に登録する。このとき、音声合成機能部１５は、音声データベース２３自体をＷＥＢサイト等からダウンロードするようにしても良い。
【００２６】
アンテナ部１１が利用する通信回線の例として、携帯電話網、ＷｉＭＡＸ、３Ｇ（第３世代携帯電話）、インターネット、ＬＡＮ（Ｌｏｃａｌ  Ａｒｅａ  Ｎｅｔｗｏｒｋ）、無線ＬＡＮ（Ｗｉｒｅｌｅｓｓ  ＬＡＮ）、ケーブルテレビ（ＣＡＴＶ）回線、固定電話網、専用線（ｌｅａｓｅ  ｌｉｎｅ）、ＩｒＤＡ（Ｉｎｆｒａｒｅｄ  Ｄａｔａ  Ａｓｓｏｃｉａｔｉｏｎ）、Ｂｌｕｅｔｏｏｔｈ（登録商標）、シリアル通信回線等が考えられる。但し、実際には、これらの例に限定されない。
【００２７】
受信部１２及び送信部１８の例として、ＮＩＣ（Ｎｅｔｗｏｒｋ  Ｉｎｔｅｒｆａｃｅ  Ｃａｒｄ）等のネットワークアダプタや、接続口（コネクタ）等の通信ポート等が考えられる。但し、実際には、これらの例に限定されない。
【００２８】
音声分析機能部１３、変換機能部１４、及び音声合成機能部１５の例として、ＣＰＵ（Ｃｅｎｔｒａｌ  Ｐｒｏｃｅｓｓｉｎｇ  Ｕｎｉｔ）やマイクロプロセッサ（ｍｉｃｒｏｐｒｏｃｅｓｓｏｒ）等の処理装置、又は同様の機能を有する半導体集積回路（Ｉｎｔｅｇｒａｔｅｄ  Ｃｉｒｃｕｉｔ（ＩＣ））等が考えられる。なお、音声分析機能部１３、変換機能部１４、及び音声合成機能部１５は、各々の機能を携帯端末に実行させるためのプログラム（音声認識ソフトウェア、音声合成ソフトウェア等）でも良い。但し、実際には、これらの例に限定されない。
【００２９】
また、変換機能部１４は、ユーザ操作等の外部入力を受け付けるための入力装置や、ユーザ通知を行うための出力装置と連携するようにしても良い。入力装置の例として、キーボードやキーパッド、画面上のキーパッド、タッチパネル（ｔｏｕｃｈ  ｐａｎｅｌ）、タブレット（ｔａｂｌｅｔ）等が考えられる。或いは、入力装置は、外部の入力装置や記憶装置から情報を取得するためのインターフェース（Ｉ／Ｆ：ｉｎｔｅｒｆａｃｅ）でも良い。また、出力装置の例として、ＬＣＤ（液晶ディスプレイ）やＰＤＰ（プラズマディスプレイ）、有機ＥＬディスプレイ（ｏｒｇａｎｉｃ  ｅｌｅｃｔｒｏｌｕｍｉｎｅｓｃｅｎｃｅ  ｄｉｓｐｌａｙ）等の表示装置、又は、表示内容を壁やスクリーンに投影するプロジェクタ等の映写装置、表示内容を用紙等に印刷するプリンタ等の印刷装置等が考えられる。或いは、出力装置は、外部の表示装置や記憶装置に情報を出力するためのインターフェースでも良い。但し、実際には、これらの例に限定されない。
【００３０】
音声出力部１６の例として、スピーカー、イヤホン、又はヘッドホン等が考えられる。音声出力部１６は、ディスプレイ等の表示装置と一体化していても良い。但し、実際には、これらの例に限定されない。
【００３１】
音声入力部１７の例として、マイク等の集音器、文字音声変換ソフトウェア、人工音声ソフトウェア、電子楽器等が考えられる。また、音声入力部１７は、携帯端末の内部や外部の記憶装置に格納された音声データを取得するためのインタフェース（Ｉｎｔｅｒｆａｃｅ（Ｉ／Ｆ））でも良い。但し、実際には、これらの例に限定されない。
【００３２】
電話番号帳２１、キーワードデータベース２２、及び音声データベース２３の例として、メモリ等の半導体記憶装置、ハードディスク等の外部記憶装置（ストレージ）、又は、記憶媒体（メディア）等が考えられる。なお、電話番号帳２１、キーワードデータベース２２、及び音声データベース２３は、携帯端末の本体に内蔵された記憶装置に限らず、周辺機器（外付けＨＤＤ等）や外部のサーバ（ストレージサーバ等）に設置された記憶装置、或いは、ＮＡＳ（Ｎｅｔｗｏｒｋ  Ａｔｔａｃｈｅｄ  Ｓｔｏｒａｇｅ）でも良い。但し、実際には、これらの例に限定されない。
【００３３】
図２を参照して、本発明の携帯端末の動作について説明する。
【００３４】
（１）ステップＳ１０１
アンテナ部１１は、相手が電話を掛けて来た場合、高周波信号を受信する。
【００３５】
（２）ステップＳ１０２
受信部１２は、受信された高周波信号を復調し、ベースバンド信号に変換して音声分析機能部１３に送る。このとき、受信部１２は、ベースバンド信号と共に、電話を掛けて来た相手の電話番号を示す情報信号を音声分析機能部１３に送る。ここでは、ベースバンド信号は、音声信号である。なお、ベースバンド信号は、電話を掛けて来た相手の電話番号を示すデジタルデータを含んでいても良い。
【００３６】
（３）ステップＳ１０３
音声分析機能部１３は、電話を掛けて来た相手の電話番号が電話番号帳２１に音声合成対象番号として登録されているかを判断する。なお、電話番号は例示に過ぎず、実際には、電話を掛けて来た相手を特定できる識別情報であれば良い。
【００３７】
（４）ステップＳ１０４
音声分析機能部１３は、電話を掛けて来た相手の電話番号が電話番号帳２１に音声合成対象番号として登録された番号でない場合、直接、音声出力部１６に音声信号を送る。音声出力部１６は、当該音声信号に基づいて、音声出力を行う。このとき、音声分析機能部１３は、変換機能部１４及び音声合成機能部１５に対して動作しないように通知した上で、変換機能部１４及び音声合成機能部１５を介して音声出力部１６に音声信号を送るようにしても良い。
【００３８】
（５）ステップＳ１０５
音声分析機能部１３は、電話を掛けて来た相手の電話番号が電話番号帳２１に音声合成対象番号として登録された番号である場合、音声合成ＯＮと認識し、変換機能部１４を動作させる。例えば、音声分析機能部１３は、音声合成ＯＮと認識した場合、ＯＦＦ状態の変換機能部１４を起動させる。或いは、音声分析機能部１３から変換機能部１４への通知を禁止状態から許可状態に変更する。すなわち、音声分析機能部１３は、音声合成ＯＮと認識した場合、当該相手との電話中、変換機能部１４への音声信号の提供を可能にする。
【００３９】
（６）ステップＳ１０６
音声分析機能部１３は、音声信号のスペクトラムを分析し、音声信号に基づく音声が怒り等の特定の感情を示す音声であるかどうか判断する。その後、音声分析機能部１３は、変換機能部１４に音声信号を送る。このとき、音声分析機能部１３は、音声信号に基づく音声が怒り等の特定の感情を示す音声であれば、特定の感情を示す音声である旨を、或いは、元の音声にフィルタをかける旨の指示を、変換機能部１４に通知する。なお、音声分析機能部１３は、音声信号に基づく音声が怒り等の特定の感情を示す音声であるかどうか判断しない場合、無条件で変換機能部１４に音声信号を送る。
【００４０】
（７）ステップＳ１０７
変換機能部１４は、音声信号に基づく音声が怒り等の特定の感情を示す音声であれば、元の音声にフィルタをかけた音声を出力する処理（フィルタリング）を行う。ここでは、変換機能部１４は、音声出力部１６に対して、元の音声にフィルタをかけた後の音声信号を送る。音声出力部１６は、元の音声にフィルタをかけた音声を出力する。このとき、変換機能部１４は、音声合成機能部１５に対し、音声信号と、元の音声にフィルタをかける旨の通知（フィルタリング依頼）を送り、音声合成機能部１５で元の音声にフィルタをかけ、音声合成機能部１５から音声出力部１６に元の音声にフィルタをかけた後の音声信号を送るようにしても良い。
【００４１】
（８）ステップＳ１０８
変換機能部１４は、音声信号に基づく音声が怒り等の特定の感情を示す音声でなければ、キーワードデータベース２２を参照して、音声分析機能部１３で分析された音声信号に、特定のキーワードを示すキーワードデータが含まれているかどうか判断する。このとき、変換機能部１４は、音声分析機能部１３で分析された音声信号に、特定のキーワードを示すキーワードデータが含まれていない場合、音声合成機能部１５に音声信号を送る。
【００４２】
（９）ステップＳ１０９
変換機能部１４は、音声分析機能部１３で分析された音声信号に、特定のキーワードを示すキーワードデータが含まれている場合、音声合成機能部１５に対して、音声合成を中止又は禁止し、元の音声を音声出力部１６に出力する旨の通知を送る。このとき、音声合成機能部１５は、音声信号のうち、特定のキーワードに該当する部分の音声を無音又はビープ音に変換して音声出力部１６に送り、他の部分を元の音声で音声出力部１６に送る。音声出力部１６は、当該音声信号に基づいて、音声出力を行う。
【００４３】
（１０）ステップＳ１１０
変換機能部１４は、音声分析機能部１３で分析された音声信号に、特定のキーワードを示すキーワードデータが含まれている場合、当該キーワードデータに基づいて、予め決められたＮＧワードを送信部１８に出力する。送信部１８は、アンテナ部１１を介して、電話を掛けて来た相手に、予め決められたＮＧワードを送信する。例えば、変換機能部１４は、キーワードデータに基づいて、特定のキーワードがＮＧワードである旨を、送信部１８を介して、電話を掛けて来た相手に通知する。このとき、変換機能部１４は、ＮＧワードの部分の音声を、無音又はビープ音に変換するようにしても良い。なお、変換機能部１４は、特定のキーワードがＮＧワードである旨を、電話を掛けて来た相手に通知しない場合、特定のキーワードを送信部１８に出力しなくても良い。
【００４４】
（１１）ステップＳ１１１
音声合成機能部１５は、音声データベース２３を参照して、受け取った音声信号に応じて、特定の人物に似た音声の合成を行う。ここでは、音声合成機能部１５は、受け取った音声信号に基づく音声の全体に対して、特定の人物に似た音声の合成を行う。
【００４５】
（１２）ステップＳ１１２
音声合成機能部１５は、音声合成された音声信号を音声出力部１６に送る。音声出力部１６は、音声合成された音声信号に基づいて、スピーカー等から合成音を出力する。
【００４６】
（１３）ステップＳ１１３
音声分析機能部１３は、高周波信号の受信が終了するまで、継続的に受話の音声の感情を分析し、音声信号に基づく音声が怒り等の特定の感情を示す音声であるとの結果を得たら、現在の合成音の出力を中止して元の音声にフィルタをかけた音声を出力する処理に切り替える。音声分析機能部１３は、通話が終了したら、一連の処理を終了する。
【００４７】
本発明の携帯端末は、テレビやラジオ、カーナビ、無線通信対応の携帯音楽プレーヤーのように、受信専用の音声再生装置でも良い。すなわち、本発明の携帯端末は、音声入力部１７や、送信部１８を備えていなくても良い。この場合、本発明の携帯端末は、外部に対して、ＮＧワード等の通知を行わない。
【００４８】
本発明の携帯端末では、音声データベース２３に、タレント等の特定の人物の音声データを登録して置けば、受信音声を、その特定の人物を真似た合成音で聞く事ができる。
【００４９】
音声合成の切り替え相手の選択は、予め電話番号帳２１に相手を登録しておく事により、又は通話途中でもスイッチを押す事で相手を登録する事により、音声合成をＯＮ、ＯＦＦする事ができる。
【００５０】
キーワードデータベース２２に予め登録された特定のキーワードの音声を認識すると、音声合成を中止して受話音そのままの音声を出力することもできる。
【００５１】
また、キーワードがＮＧワードとして登録されていた場合は、相手に対して、決められたＮＧワードや、ＮＧワードである旨の通知を出力する事もできる。
【００５２】
また、受話の音声の感情を分析し、音声信号に基づく音声が怒り等の特定の感情を示す音声であるとの結果を得たら、特定の人物の音声に真似た合成音を中止して元の音声にフィルタをかけた音声を出力する処理を行う事ができる。
【００５３】
特定のキーワードの登録は、受話の操作者がボタンを押すとその所定時間前の音声を分析してキーワードデータベース２２に自動的に登録する事ができる。
【００５４】
この携帯端末を使用すれば、特定の相手から掛かって来た着信音を好みのタレントとそっくりな音声に合成し、あたかもタレントと会話をしている雰囲気を作り出す事ができる。
【００５５】
また、キーワードデータベース２２と組合せる事により、相手の感情や、直接音声で言って貰いたくないＮＧワードを会話から遠ざける事ができる。
【００５６】
ここでは、携帯端末による電話（通話）における音声変換を例に説明しているが、実際には、テレビ機能やラジオ機能等を使用した際（放送視聴時）における音声変換、或いは、記憶装置や記憶媒体等に記憶されている音声データを再生した際（音声再生時）における音声変換も可能である。
【００５７】
＜第２実施形態＞
以下に、本発明の第２実施形態について説明する。
第１実施形態では、変換機能部１４は、音声分析機能部１３で分析された音声信号に、特定のキーワードを示すキーワードデータが含まれている場合、音声合成を中止又は禁止し、ＮＧワードを通知しているが、本実施形態では、音声分析機能部１３で分析された音声信号に、特定のキーワードを示すキーワードデータが含まれている場合に、音声合成を行うようにする。
【００５８】
本実施形態における携帯端末の構成については、基本的に第１実施形態と同じである。すなわち、本実施形態における携帯端末の構成は、図１に示す通りである。
【００５９】
図３を参照して、本実施形態における携帯端末の動作について説明する。
【００６０】
（１）ステップＳ２０１
アンテナ部１１は、相手が電話を掛けて来た場合、高周波信号を受信する。
【００６１】
（２）ステップＳ２０２
受信部１２は、受信された高周波信号を復調し、ベースバンド信号に変換して音声分析機能部１３に送る。このとき、受信部１２は、ベースバンド信号と共に、電話を掛けて来た相手の電話番号を示す情報信号を音声分析機能部１３に送る。ここでは、ベースバンド信号は、音声信号である。なお、ベースバンド信号は、電話を掛けて来た相手の電話番号を示すデジタルデータを含んでいても良い。
【００６２】
（３）ステップＳ２０３
音声分析機能部１３は、電話を掛けて来た相手の電話番号が電話番号帳２１に音声合成対象番号として登録されているかを判断する。なお、電話番号は例示に過ぎず、実際には、電話を掛けて来た相手を特定できる識別情報であれば良い。
【００６３】
（４）ステップＳ２０４
音声分析機能部１３は、電話を掛けて来た相手の電話番号が電話番号帳２１に音声合成対象番号として登録された番号でない場合、直接、音声出力部１６に音声信号を送る。音声出力部１６は、当該音声信号に基づいて、音声出力を行う。このとき、音声分析機能部１３は、変換機能部１４及び音声合成機能部１５に対して動作しないように通知した上で、変換機能部１４及び音声合成機能部１５を介して音声出力部１６に音声信号を送るようにしても良い。
【００６４】
（５）ステップＳ２０５
音声分析機能部１３は、電話を掛けて来た相手の電話番号が電話番号帳２１に音声合成対象番号として登録された番号である場合、音声合成ＯＮと認識し、変換機能部１４を動作させる。例えば、音声分析機能部１３は、音声合成ＯＮと認識した場合、ＯＦＦ状態の変換機能部１４を起動させる。或いは、音声分析機能部１３から変換機能部１４への通知を禁止状態から許可状態に変更する。すなわち、音声分析機能部１３は、音声合成ＯＮと認識した場合、当該相手との電話中、変換機能部１４への音声信号の提供を可能にする。
【００６５】
（６）ステップＳ２０６
音声分析機能部１３は、音声信号のスペクトラムを分析し、音声信号に基づく音声が怒り等の特定の感情を示す音声であるかどうか判断する。その後、音声分析機能部１３は、変換機能部１４に音声信号を送る。このとき、音声分析機能部１３は、音声信号に基づく音声が怒り等の特定の感情を示す音声であれば、特定の感情を示す音声である旨を、或いは、元の音声にフィルタをかける旨の指示を、変換機能部１４に通知する。なお、音声分析機能部１３は、音声信号に基づく音声が怒り等の特定の感情を示す音声であるかどうか判断しない場合、無条件で変換機能部１４に音声信号を送る。
【００６６】
（７）ステップＳ２０７
変換機能部１４は、音声信号に基づく音声が怒り等の特定の感情を示す音声であれば、元の音声にフィルタをかけた音声を出力する処理（フィルタリング）を行う。ここでは、変換機能部１４は、音声出力部１６に対して、元の音声にフィルタをかけた後の音声信号を送る。音声出力部１６は、元の音声にフィルタをかけた音声を出力する。このとき、変換機能部１４は、音声合成機能部１５に対し、音声信号と、元の音声にフィルタをかける旨の通知（フィルタリング依頼）を送り、音声合成機能部１５で元の音声にフィルタをかけ、音声合成機能部１５から音声出力部１６に元の音声にフィルタをかけた後の音声信号を送るようにしても良い。
【００６７】
（８）ステップＳ２０８
変換機能部１４は、音声信号に基づく音声が怒り等の特定の感情を示す音声でなければ、キーワードデータベース２２を参照して、音声分析機能部１３で分析された音声信号に、特定のキーワードを示すキーワードデータが含まれているかどうか判断する。このとき、変換機能部１４は、音声分析機能部１３で分析された音声信号に、特定のキーワードを示すキーワードデータが含まれている場合、当該音声信号を音声合成機能部１５に出力する。なお、変換機能部１４は、音声信号のうち特定のキーワードに該当する部分のみ音声合成機能部１５に出力し、他の部分を音声出力部１６に出力するようにしても良い。また、変換機能部１４は、当該キーワードデータを音声合成機能部１５に出力するようにしても良い。
【００６８】
（９）ステップＳ２０９
変換機能部１４は、音声分析機能部１３で分析された音声信号に、特定のキーワードを示すキーワードデータが含まれていない場合、音声合成機能部１５に対して、音声合成を中止又は禁止し、元の音声を音声出力部１６に出力する旨の通知を送る。音声出力部１６は、当該音声信号に基づいて、元の音声を出力する。
【００６９】
（１０）ステップＳ２１０
変換機能部１４は、音声分析機能部１３で分析された音声信号に、特定のキーワードを示すキーワードデータが含まれている場合、当該キーワードデータに基づいて、特定のキーワードを送信部１８に出力する。送信部１８は、アンテナ部１１を介して、電話を掛けて来た相手に、特定のキーワードを送信する。例えば、変換機能部１４は、キーワードデータに基づいて、特定のキーワードに対して音声合成を行う旨を、送信部１８を介して、電話を掛けて来た相手に通知する。なお、変換機能部１４は、特定のキーワードに対して音声合成を行う旨を、電話を掛けて来た相手に通知しない場合、特定のキーワードを送信部１８に出力しなくても良い。
【００７０】
（１１）ステップＳ２１１
音声合成機能部１５は、音声データベース２３を参照して、受け取った音声信号に応じて、特定の人物に似た音声の合成を行う。ここでは、音声合成機能部１５は、受け取った音声信号に基づく音声の全体に対して、特定の人物に似た音声の合成を行う。なお、音声合成機能部１５は、変換機能部１４からキーワードデータを受け取り、キーワードデータに基づいて、受け取った音声信号に基づく音声に含まれる特定のキーワードの音声のみ、特定の人物に似た音声の合成を行うようにしても良い。例えば、音声合成機能部１５は、キーワードデータが特定の人物の著名な発言を示している場合、受け取った音声信号に基づく音声にこの著名な発言と同じ内容が含まれていれば、その発言の箇所のみ、特定の人物に似た音声での合成を行う。
【００７１】
（１２）ステップＳ２１２
音声合成機能部１５は、音声合成された音声信号を音声出力部１６に送る。音声出力部１６は、音声合成された音声信号に基づいて、スピーカー等から合成音を出力する。
【００７２】
（１３）ステップＳ２１３
音声分析機能部１３は、高周波信号の受信が終了するまで、継続的に受話の音声の感情を分析し、音声信号に基づく音声が怒り等の特定の感情を示す音声であるとの結果を得たら、現在の合成音の出力を中止して元の音声にフィルタをかけた音声を出力する処理に切り替える。音声分析機能部１３は、通話が終了したら、一連の処理を終了する。
【００７３】
これにより、本発明の携帯端末は、通話や音声再生の際に、ユーザの知人の口癖や、著名人の有名な台詞（セリフ）が使用された場合、その本人（当人）の声色で再生する事ができる。このとき、声色の音声データ（音源）については、当人の使用許諾を得ているものとする。使用許諾を得る方法として、対価の支払い等が考えられる。声色の音声データ（音源）の入手方法としては、許可を受けた上での当人からの録音や、所定のＷｅｂサイトからのダウンロード等が考えられる。
【００７４】
＜第３実施形態＞
以下に、本発明の第３実施形態について説明する。
本実施形態では、第１実施形態とは逆に、携帯端末のユーザが音声入力した音声を合成し、合成音を外部に送信するようにする。
【００７５】
図４を参照すると、本実施形態における携帯端末は、アンテナ部１１と、受信部１２と、音声分析機能部１３と、変換機能部１４と、音声合成機能部１５と、音声出力部１６と、音声入力部１７と、送信部１８と、電話番号帳２１と、キーワードデータベース２２と、音声データベース２３を備える。
【００７６】
アンテナ部１１、受信部１２、音声分析機能部１３、変換機能部１４、音声合成機能部１５、音声出力部１６、音声入力部１７、送信部１８、電話番号帳２１、キーワードデータベース２２、及び音声データベース２３については、基本的に第１実施形態と同じである。
【００７７】
本実施形態では、音声分析機能部１３は、電話を掛ける相手の電話番号等の識別情報が電話番号帳２１に音声合成対象番号として登録されているかを判断する。また、音声分析機能部１３は、音声入力部１７に入力された音声に基づく音声信号についても分析を行う。すなわち、音声分析機能部１３は、送話又は受話の少なくとも一方の音声信号のスペクトラムを分析し、送話又は受話の少なくとも一方の音声が怒り等の特定の感情を示す音声であるかどうか判断する。ここでは、受信部１２から受け取った音声信号、及び音声入力部１７に入力された音声に基づく音声信号の両方のスペクトラムを分析し、分析された音声信号のうち少なくとも一方の音声信号が怒り等の特定の感情を示す音声信号であるかどうか判断する。その後、音声分析機能部１３は、変換機能部１４に音声信号を送る。このとき、音声分析機能部１３は、送話又は受話の少なくとも一方の音声が怒り等の特定の感情を示す音声であれば、特定の感情を示す音声である旨を、或いは、元の音声にフィルタをかける旨の指示を、変換機能部１４に通知する。なお、音声分析機能部１３は、送話又は受話の少なくとも一方の音声が怒り等の特定の感情を示す音声であるかどうか判断しない場合、無条件で変換機能部１４に音声信号を送る。
【００７８】
変換機能部１４は、キーワードデータベース２２を参照して、音声分析機能部１３で分析された音声信号に従い、特定のキーワードを示すキーワードデータを出力する。ここでは、変換機能部１４は、音声入力部１７から受け取った音声信号に含まれるキーワードがＮＧワードとしてキーワードデータベース２２に登録されていた場合、音声出力部１６に対して、予め決められたＮＧワードや、ＮＧワードである旨の通知を送る。例えば、変換機能部１４は、ユーザにより音声入力された音声信号に含まれていた「○○」というキーワードがＮＧワードとしてキーワードデータベース２２に登録されていた場合、音声出力部１６を介して、ユーザに対し、「○○はＮＧワードです」という旨を通知する。なお、変換機能部１４は、音声信号に含まれるキーワードがＮＧワードとしてキーワードデータベース２２に登録されていた場合、ＮＧワードの部分の音声を、無音又はビープ音に変換するようにしても良い。また、変換機能部１４は、送話又は受話の少なくとも一方の音声が怒り等の特定の感情を示す音声であれば、元の音声にフィルタをかけた音声を出力する処理（フィルタリング）を行う。
【００７９】
音声合成機能部１５は、音声データベース２３を参照して、受け取った音声信号に応じて、所定の音声の合成を行う。本発明の携帯端末では、音声合成機能部１５の前段に音声分析機能部１３と変換機能部１４を配置している。
【００８０】
電話番号帳２１は、電話を掛ける相手の電話番号等の識別情報を格納する。ここでは、電話番号帳２１は、電話を掛ける相手のうち、音声合成の対象とする相手の電話番号等の識別情報を格納する。なお、電話番号は例示に過ぎず、実際には、電話を掛ける相手を特定できる識別情報であれば良い。また、電話番号帳２１は、携帯端末自体が有する通常の電話番号帳とは別に設けられていても良い。
【００８１】
図５を参照して、本実施形態における携帯端末の動作について説明する。
【００８２】
（１）ステップＳ３０１
音声入力部１７は、所定の相手に電話を掛ける際、音声入力に応じて、音声信号を発生する。ここでは、音声入力部１７は、ユーザ又はアプリケーションによる音声入力に応じて、音声信号を生成し、その音声信号を音声分析機能部１３に送る。このとき、音声分析機能部１３は、音声信号と、電話を掛ける相手の電話番号を受け取る。例えば、音声分析機能部１３は、ユーザにより入力された電話番号を受け取った後、音声入力部１７から音声信号を受け取るようにしても良い。
【００８３】
（２）ステップＳ３０２
音声分析機能部１３は、電話を掛ける相手の電話番号が電話番号帳２１に音声合成対象番号として登録されているかを判断する。なお、電話番号は例示に過ぎず、実際には、電話を掛ける相手を特定できる識別情報であれば良い。
【００８４】
（３）ステップＳ３０３
音声分析機能部１３は、電話を掛ける相手の電話番号が電話番号帳２１に音声合成対象番号として登録された番号でない場合、直接、送信部１８に音声信号を送る。このとき、音声分析機能部１３は、変換機能部１４に対して動作しないように通知した上で、変換機能部１４を介して送信部１８に音声信号を送るようにしても良い。送信部１８は、受け取った音声信号を変調して高周波信号に変換し、アンテナ部１１を介して、電話を掛ける相手に対し、その高周波信号を送信する。
【００８５】
（４）ステップＳ３０４
音声分析機能部１３は、電話を掛ける相手の電話番号が電話番号帳２１に音声合成対象番号として登録された番号である場合、音声合成ＯＮと認識し、変換機能部１４を動作させる。例えば、音声分析機能部１３は、音声合成ＯＮと認識した場合、ＯＦＦ状態の変換機能部１４を起動させる。或いは、音声分析機能部１３から変換機能部１４への通知を禁止状態から許可状態に変更する。すなわち、音声分析機能部１３は、音声合成ＯＮと認識した場合、当該相手との電話中、変換機能部１４への音声信号の提供を可能にする。
【００８６】
（５）ステップＳ３０５
アンテナ部１１は、相手が電話に出た場合、相手からの高周波信号を受信する。
【００８７】
（６）ステップＳ３０６
受信部１２は、受信された高周波信号を復調し、ベースバンド信号に変換して音声分析機能部１３に送る。このとき、受信部１２は、ベースバンド信号と共に、電話を掛けて来た相手の電話番号を示す情報信号を音声分析機能部１３に送る。ここでは、ベースバンド信号は、音声信号である。なお、ベースバンド信号は、電話を掛けて来た相手の電話番号を示すデジタルデータを含んでいても良い。
【００８８】
（７）ステップＳ３０７
音声分析機能部１３は、送話又は受話の少なくとも一方の音声信号のスペクトラムを分析し、送話又は受話の少なくとも一方の音声が怒り等の特定の感情を示す音声であるかどうか判断する。すなわち、音声分析機能部１３は、受信部１２から受け取った音声信号（相手側からの音声信号）と、音声入力部１６から受け取った音声信号（ユーザ側からの音声信号）のうち、少なくとも一方の音声信号が怒り等の特定の感情を示す音声信号であるかどうか判断する。その後、音声分析機能部１３は、変換機能部１４に音声信号を送る。このとき、音声分析機能部１３は、送話又は受話の少なくとも一方の音声が怒り等の特定の感情を示す音声であれば、特定の感情を示す音声である旨を、或いは、元の音声にフィルタをかける旨の指示を、変換機能部１４に通知する。なお、音声分析機能部１３は、怒り等の特定の感情を示す音声であるかどうか判断しない場合、無条件で変換機能部１４に音声信号を送る。
【００８９】
（８）ステップＳ３０８
変換機能部１４は、送話又は受話の少なくとも一方の音声が怒り等の特定の感情を示す音声であれば、元の音声にフィルタをかけた音声を出力する処理（フィルタリング）を行う。ここでは、変換機能部１４は、送信部１８に対して、元の音声にフィルタをかけた後の音声信号を送る。送信部１８は、元の音声にフィルタをかけた音声を出力する。このとき、変換機能部１４は、音声合成機能部１５に対し、音声信号と、元の音声にフィルタをかける旨の通知（フィルタリング依頼）を送り、音声合成機能部１５で元の音声にフィルタをかけ、音声合成機能部１５から送信部１８に元の音声にフィルタをかけた後の音声信号を送るようにしても良い。
【００９０】
（９）ステップＳ３０９
変換機能部１４は、送話又は受話の少なくとも一方の音声が怒り等の特定の感情を示す音声でなければ、キーワードデータベース２２を参照して、音声分析機能部１３で分析された音声信号に、特定のキーワードを示すキーワードデータが含まれているかどうか判断する。このとき、変換機能部１４は、音声分析機能部１３で分析された音声信号に、特定のキーワードを示すキーワードデータが含まれていない場合、音声合成機能部１５に音声信号を送る。
【００９１】
（１０）ステップＳ３１０
変換機能部１４は、音声分析機能部１３で分析された音声信号に、特定のキーワードを示すキーワードデータが含まれている場合、音声合成機能部１５に対して、音声合成を中止又は禁止し、元の音声を送信部１８に出力する旨の通知を送る。このとき、音声合成機能部１５は、音声信号のうち、特定のキーワードに該当する部分の音声を無音又はビープ音に変換して送信部１８に送り、他の部分を元の音声で送信部１８に送る。送信部１８は、受け取った音声信号を変調して高周波信号に変換し、アンテナ部１１を介して、電話を掛ける相手に対し、その高周波信号を送信する。
【００９２】
（１１）ステップＳ３１１
変換機能部１４は、音声分析機能部１３で分析された音声信号に、特定のキーワードを示すキーワードデータが含まれている場合、当該キーワードデータに基づいて、特定のキーワードを音声出力部１６に出力する。音声出力部１６は、特定のキーワードを出力する。例えば、変換機能部１４は、キーワードデータに基づいて、特定のキーワードがＮＧワードである旨を、音声出力部１６を介して、ユーザに通知する。このとき、変換機能部１４は、ＮＧワードの部分の音声を、無音又はビープ音に変換するようにしても良い。なお、変換機能部１４は、特定のキーワードがＮＧワードである旨を、ユーザに通知しない場合、特定のキーワードを音声出力部１６に出力しなくても良い。
【００９３】
（１２）ステップＳ３１２
音声合成機能部１５は、音声データベース２３を参照して、受け取った音声信号に応じて、特定の人物に似た音声の合成を行う。ここでは、音声合成機能部１５は、受け取った音声信号に基づく音声の全体に対して、特定の人物に似た音声の合成を行う。
【００９４】
（１３）ステップＳ３１３
音声合成機能部１５は、音声合成された音声信号を送信部１８に送る。送信部１８は、受け取った音声信号を変調して高周波信号に変換し、アンテナ部１１を介して、電話を掛ける相手に対し、その高周波信号を送信する。
【００９５】
（１４）ステップＳ３１４
音声分析機能部１３は、高周波信号の送信が終了するまで、継続的に、送話又は受話の少なくとも一方の音声の感情を分析し、送話又は受話の少なくとも一方の音声が怒り等の特定の感情を示す音声であるとの結果を得たら、現在の合成音の出力を中止して元の音声にフィルタをかけた音声を出力する処理に切り替える。音声分析機能部１３は、通話が終了したら、一連の処理を終了する。
【００９６】
本実施形態における携帯端末では、デコメ（デコレーションメール）（登録商標）における顔文字や絵文字のように、声色や台詞を「素材」として、音声をデコレーション（装飾）する事ができる。
【００９７】
＜第４実施形態＞
以下に、本発明の第４実施形態について説明する。
第３実施形態では、変換機能部１４は、音声分析機能部１３で分析された音声信号に、特定のキーワードを示すキーワードデータが含まれている場合、音声合成を中止又は禁止し、ユーザにＮＧワードを通知しているが、本実施形態では、音声分析機能部１３で分析された音声信号に、特定のキーワードを示すキーワードデータが含まれている場合に、音声合成を行うようにする。
【００９８】
本実施形態における携帯端末の構成については、基本的に第３実施形態と同じである。すなわち、本実施形態における携帯端末の構成は、図４に示す通りである。
【００９９】
図６を参照して、本実施形態における携帯端末の動作について説明する。
【０１００】
（１）ステップＳ４０１
音声入力部１７は、所定の相手に電話を掛ける際、音声入力に応じて、音声信号を発生する。ここでは、音声入力部１７は、ユーザ又はアプリケーションによる音声入力に応じて、音声信号を生成し、その音声信号を音声分析機能部１３に送る。このとき、音声分析機能部１３は、音声信号と、電話を掛ける相手（通話相手）の電話番号を受け取る。例えば、音声分析機能部１３は、ユーザにより入力された電話番号を受け取った後、音声入力部１７から音声信号を受け取るようにしても良い。
【０１０１】
（２）ステップＳ４０２
音声分析機能部１３は、電話を掛ける相手の電話番号が電話番号帳２１に音声合成対象番号として登録されているかを判断する。なお、電話番号は例示に過ぎず、実際には、電話を掛ける相手を特定できる識別情報であれば良い。
【０１０２】
（３）ステップＳ４０３
音声分析機能部１３は、電話を掛ける相手の電話番号が電話番号帳２１に音声合成対象番号として登録された番号でない場合、直接、送信部１８に音声信号を送る。このとき、音声分析機能部１３は、変換機能部１４に対して動作しないように通知した上で、変換機能部１４を介して送信部１８に音声信号を送るようにしても良い。送信部１８は、受け取った音声信号を変調して高周波信号に変換し、アンテナ部１１を介して、電話を掛ける相手に対し、その高周波信号を送信する。
【０１０３】
（４）ステップＳ４０４
音声分析機能部１３は、電話を掛ける相手の電話番号が電話番号帳２１に音声合成対象番号として登録された番号である場合、音声合成ＯＮと認識し、変換機能部１４を動作させる。例えば、音声分析機能部１３は、音声合成ＯＮと認識した場合、ＯＦＦ状態の変換機能部１４を起動させる。或いは、音声分析機能部１３から変換機能部１４への通知を禁止状態から許可状態に変更する。すなわち、音声分析機能部１３は、音声合成ＯＮと認識した場合、当該相手との電話中、変換機能部１４への音声信号の提供を可能にする。
【０１０４】
（５）ステップＳ４０５
アンテナ部１１は、相手が電話に出た場合、相手からの高周波信号を受信する。
【０１０５】
（６）ステップＳ４０６
受信部１２は、受信された高周波信号を復調し、ベースバンド信号に変換して音声分析機能部１３に送る。このとき、受信部１２は、ベースバンド信号と共に、電話を掛けて来た相手の電話番号を示す情報信号を音声分析機能部１３に送る。ここでは、ベースバンド信号は、音声信号である。なお、ベースバンド信号は、電話を掛けて来た相手の電話番号を示すデジタルデータを含んでいても良い。
【０１０６】
（７）ステップＳ４０７
音声分析機能部１３は、送話又は受話の少なくとも一方の音声信号のスペクトラムを分析し、送話又は受話の少なくとも一方の音声が怒り等の特定の感情を示す音声であるかどうか判断する。すなわち、音声分析機能部１３は、受信部１２から受け取った音声信号（相手側からの音声信号）と、音声入力部１６から受け取った音声信号（ユーザ側からの音声信号）のうち、少なくとも一方の音声信号が怒り等の特定の感情を示す音声信号であるかどうか判断する。その後、音声分析機能部１３は、変換機能部１４に音声信号を送る。このとき、音声分析機能部１３は、送話又は受話の少なくとも一方の音声が怒り等の特定の感情を示す音声であれば、特定の感情を示す音声である旨を、或いは、元の音声にフィルタをかける旨の指示を、変換機能部１４に通知する。なお、音声分析機能部１３は、怒り等の特定の感情を示す音声であるかどうか判断しない場合、無条件で変換機能部１４に音声信号を送る。
【０１０７】
（８）ステップＳ４０８
変換機能部１４は、送話又は受話の少なくとも一方の音声が怒り等の特定の感情を示す音声であれば、元の音声にフィルタをかけた音声を出力する処理（フィルタリング）を行う。ここでは、変換機能部１４は、送信部１８に対して、元の音声にフィルタをかけた後の音声信号を送る。送信部１８は、元の音声にフィルタをかけた音声を出力する。このとき、変換機能部１４は、音声合成機能部１５に対し、音声信号と、元の音声にフィルタをかける旨の通知（フィルタリング依頼）を送り、音声合成機能部１５で元の音声にフィルタをかけ、音声合成機能部１５から送信部１８に元の音声にフィルタをかけた後の音声信号を送るようにしても良い。
【０１０８】
（９）ステップＳ４０９
変換機能部１４は、送話又は受話の少なくとも一方の音声が怒り等の特定の感情を示す音声でなければ、キーワードデータベース２２を参照して、音声分析機能部１３で分析された音声信号に、特定のキーワードを示すキーワードデータが含まれているかどうか判断する。このとき、変換機能部１４は、音声分析機能部１３で分析された音声信号に、特定のキーワードを示すキーワードデータが含まれている場合、当該音声信号を音声合成機能部１５に出力する。なお、変換機能部１４は、音声信号のうち特定のキーワードに該当する部分のみ音声合成機能部１５に出力し、他の部分を送信部１８に出力するようにしても良い。また、変換機能部１４は、当該キーワードデータを音声合成機能部１５に出力するようにしても良い。
【０１０９】
（１０）ステップＳ４１０
変換機能部１４は、音声分析機能部１３で分析された音声信号に、特定のキーワードを示すキーワードデータが含まれていない場合、音声合成機能部１５に対して、音声合成を中止又は禁止し、元の音声を送信部１８に出力する旨の通知を送る。送信部１８は、当該音声信号に基づいて、元の音声を出力する。
【０１１０】
（１１）ステップＳ４１１
変換機能部１４は、音声分析機能部１３で分析された音声信号に、特定のキーワードを示すキーワードデータが含まれている場合、当該キーワードデータに基づいて、特定のキーワードを音声出力部１６に出力する。このとき、変換機能部１４は、音声合成機能部１５を介して、特定のキーワードに該当する部分の合成音を音声出力部１６に出力するようにしても良い。音声出力部１６は、ユーザに、特定のキーワードを通知する。すなわち、変換機能部１４は、キーワードデータに基づいて、特定のキーワードに対して音声合成を行う旨を、音声出力部１６を介して、ユーザに通知する。なお、変換機能部１４は、特定のキーワードに対して音声合成を行う旨を、ユーザに通知しない場合、特定のキーワードを音声出力部１６に出力しなくても良い。
【０１１１】
（１２）ステップＳ４１２
音声合成機能部１５は、音声データベース２３を参照して、受け取った音声信号に応じて、特定の人物に似た音声の合成を行う。ここでは、音声合成機能部１５は、受け取った音声信号に基づく音声の全体に対して、特定の人物に似た音声の合成を行う。なお、音声合成機能部１５は、変換機能部１４からキーワードデータを受け取り、キーワードデータに基づいて、受け取った音声信号に基づく音声に含まれる特定のキーワードの音声のみ、特定の人物に似た音声の合成を行うようにしても良い。例えば、音声合成機能部１５は、キーワードデータが特定の人物の著名な発言を示している場合、受け取った音声信号に基づく音声にこの著名な発言と同じ内容が含まれていれば、その発言の箇所のみ、特定の人物に似た音声での合成を行う。
【０１１２】
（１３）ステップＳ４１３
音声合成機能部１５は、音声合成された音声信号を送信部１８に送る。送信部１８は、受け取った音声信号を変調して高周波信号に変換し、アンテナ部１１を介して、電話を掛ける相手に対し、その高周波信号を送信する。
【０１１３】
（１４）ステップＳ４１４
音声分析機能部１３は、高周波信号の送信が終了するまで、継続的に、送話又は受話の少なくとも一方の音声の感情を分析し、送話又は受話の少なくとも一方の音声が怒り等の特定の感情を示す音声であるとの結果を得たら、現在の合成音の出力を中止して元の音声にフィルタをかけた音声を出力する処理に切り替える。音声分析機能部１３は、通話が終了したら、一連の処理を終了する。
【０１１４】
なお、本発明における各実施形態は、組み合わせて実施することも可能である。
【０１１５】
以上のように、本発明の携帯端末は、音声合成機能と、特定のキーワードや特定の感情の音声に基づいた音声合成の切換機能、生の音声へのフィルタリング機能、及び特定キーワードの自動登録の機能を持つ。
【０１１６】
本発明の携帯端末では、受話音を特定の人物の音声に真似た合成音で聞く事ができる。
【０１１７】
また、本発明の携帯端末では、音声合成の切り替え相手の選択は予め電話番号帳２１に登録した相手を登録でき、また、通話途中でもスイッチを押す事により音声合成をＯＮ、ＯＦＦする事ができる。
【０１１８】
また、本発明の携帯端末では、キーワードデータベース２２に登録された特定のキーワードの音声を認識すると音声合成を中止して受話音そのままの音声を出力できる。
【０１１９】
また、本発明の携帯端末では、キーワードがＮＧワードとして登録されていた場合、相手に対しＮＧワードを出力する事もできる。
【０１２０】
また、本発明の携帯端末では、受話の音声の感情を分析し、怒り等の特定の感情を示す音声であるとの結果を得たら、特定の人物の音声に真似た合成音を中止して元の音声にフィルタをかけた音声を出力する処理を行う事ができる。
【０１２１】
また、本発明の携帯端末では、受話の操作者がボタンを押すとその所定時間前の音声を分析して、特定のキーワードをキーワードデータベース２２に自動的に登録する事ができる。
【０１２２】
以上の機能を持ったこの携帯端末を使用すれば、収益比率が減少中の音声ユーザの需要を喚起する事ができ、引いては携帯端末の販売シェアを伸ばす事ができる。
【０１２３】
本発明は、携帯電話機の開発設計製造会社及びその部門での利用が考えられる。
【０１２４】
以上、本発明の実施形態を詳述してきたが、実際には、上記の実施形態に限られるものではなく、本発明の要旨を逸脱しない範囲の変更があっても本発明に含まれる。
【符号の説明】
【０１２５】
１１…  アンテナ部
１２…  受信部
１３…  音声分析機能部
１４…  変換機能部
１５…  音声合成機能部
１６…  音声出力部
１７…  音声入力部
１８…  送信部
２１…  電話番号帳
２２…  キーワードデータベース
２３…  音声データベース
【図１】
2010166324.tif 000003
【図２】
2010166324.tif 000004
【図３】
2010166324.tif 000005
【図４】
2010166324.tif 000006
【図５】
2010166324.tif 000007
【図６】
2010166324.tif 000008